(57)【要約】【課題】光学ピックアップ９と対応して記録ヘッド２３が設けられ、この記録ヘッド２３を必要に応じて昇降動作させるヘッド昇降機構を備えたディスク記録再生装置において、装置の一層の小型・薄型化を可能とする。【解決手段】ヘッド昇降機構の駆動源であるモータ１４を有するヘッド昇降駆動機構７をメカデッキシャーシ２内に設けた構成とする。この場合、従来デッドスペースとなっていた光学ピックアップ９と記録ヘッド２３とを連結するジョイント部材２５と対応する部分にヘッド昇降駆動機構７のユニット８０を組み込むようにする。【選択図】  図１０
2004164699.tif 000002
【特許請求の範囲】
【請求項１】
記録媒体であるディスクが装着されるメカデッキシャーシと、上記メカデッキシャーシ上に設けられ、上記ディスクを回転駆動するディスク回転機構と、上記ディスクに記録された信号を読み取る光学ピックアップと、上記光学ピックアップと対応して設けられ、上記ディスクに信号を書き込むための記録ヘッドと、上記記録ヘッドを必要に応じてディスクに対して接近又は離反させるヘッド昇降動作を行うヘッド昇降機構とを備え、上記ヘッド昇降機構の駆動源であるモータを有するヘッド昇降駆動機構が上記メカデッキシャーシ内に設けられていることを特徴とするディスク記録再生装置。
【請求項２】
上記光学ピックアップと上記記録ヘッドを連結するジョイント部材を有し、このジョイント部材と対応する上記メカデッキシャーシのデッドスペースに上記ヘッド昇降駆動機構が組み込まれていることを特徴とする請求項１に記載のディスク記録再生装置。
【請求項３】
上記ヘッド昇降駆動機構は、駆動源であるモータとこのモータの回転を減速するギア機構を含めてユニット化されていることを特徴とする請求項１または２に記載のディスク記録再生装置。
【請求項４】
上記メカデッキシャーシから露出される上記ユニットの表面に、上記ディスクが収納されるカートリッジの位置決めを行なうための凸部を設けたことを特徴とする請求項３に記載のディスク記録再生装置。
【発明の詳細な説明】
【０００１】
【発明の属する技術分野】
本発明は光磁気記録に用いられるディスク記録再生装置に関し、特に信号記録用のヘッドを昇降させるヘッド昇降機構に係るものである。
【０００２】
【従来の技術】
光磁気記録に用いられるディスク記録再生装置においては、記録媒体であるディスク（光磁気ディスク）に記録された信号を読み取る光学ピックアップに加え、この光学ピックアップと対応して記録ヘッドが設けられている。
【０００３】
この記録ヘッドはディスクに信号を書き込むための磁界を付与するもので、必要に応じて昇降動作されるようになっている。即ちこの記録ヘッドは信号の再生時には不要であるため、ディスクの情報記録面から離反するように上昇し、信号の記録時にはディスクの情報記録面に接近するように下降してディスクに信号記録用の磁界を付与するように動作する。
【０００４】
この記録ヘッドを昇降動作させるヘッド昇降機構を備えたディスク記録再生装置においては、ヘッド昇降機構の駆動源としてモータが用いられ、即ちこのモータの駆動によってヘッド昇降機構が作動して記録ヘッドの昇降動作が行なわれるようになっている。
【０００５】
従来のこの種のディスク記録再生装置としては、ヘッド昇降機構の駆動源であるモータを光学ピックアップ上に配置した構成（特許文献１参照）や、ディスクカートリッジが保持されるカートリッジホルダー上に配置した構成（特許文献２参照）等が知られている。
【０００６】
【特許文献１】
特開平１０−４０６３２号公報
【特許文献２】
特開平８−３６８００号公報
【０００７】
【発明が解決しようとする課題】
これら従来のディスク記録再生装置では、何れもヘッド昇降機構の駆動源であるモータの配置に大きなスペースを必要とするため装置全体が大きくなり、装置の小型・薄型化の妨げとなっていた。
特に最近では装置の一層の小型・薄型化が要望されており、これに対応できるディスク記録再生装置の構成が求められている。
【０００８】
本発明は斯かる点に鑑みてなされたもので、ヘッド昇降機構を有するディスク記録再生装置において新規の構造を採用することにより、装置の一層の小型・薄型化を可能としたディスク記録再生装置を提供することを目的としている。
【０００９】
【課題を解決するための手段】
上記の目的を達成するために本出願の請求項１に係る発明は、記録媒体であるディスクが装着されるメカデッキシャーシと、このメカデッキシャーシ上に設けられ、ディスクを回転駆動するディスク回転機構と、ディスクに記録された信号を読み取る光学ピックアップと、この光学ピックアップと対応して設けられ、ディスクに信号を書き込むための記録ヘッドと、この記録ヘッドを必要に応じてディスクに対して接近又は離反させるヘッド昇降動作を行うヘッド昇降機構とを備えてなるディスク記録再生装置において、ヘッド昇降機構の駆動源であるモータを有するヘッド昇降駆動機構をメカデッキシャーシ内に設けた構成としたものである。
【００１０】
さらに本出願の請求項２に係るディスク記録再生装置は、光学ピックアップと記録ヘッドを連結するジョイント部材を有し、このジョイント部材と対応するメカデッキシャーシのデッドスペースにヘッド昇降駆動機構を組み込んだ構成としたものである。
【００１１】
さらに本出願の請求項３に係るディスク記録再生装置は、ヘッド昇降駆動機構を、駆動源であるモータとこのモータの回転を減速するギア機構を含めてユニット化した構成としたものである。
【００１２】
さらに本出願の請求項４に係るディスク記録再生装置は、メカデッキシャーシから露出されるヘッド昇降駆動機構のユニットの表面に、ディスクが収納されるカートリッジの位置決めを行なうための凸部を設けた構成としたものである。
【００１３】
上記の如く構成される本出願の請求項１に記載のディスク記録再生装置では、ヘッド昇降機構の駆動源であるモータを有するヘッド昇降駆動機構をメカデッキシャーシ内に設けた構成としたことにより、装置内部のスペースを有効に活用でき、装置の一層の小型・薄型化が可能となる。
【００１４】
また本出願の請求項２に記載のディスク記録再生装置では、光学ピックアップと記録ヘッドを連結するジョイント部材と対応するメカデッキシャーシのデッドスペースにヘッド昇降駆動機構を組み込んだ構成としたことにより、装置内部のスペースをさらに有効に活用でき、装置の小型・薄型化に一段と有利となる。
【００１５】
また本出願の請求項３に記載のディスク記録再生装置では、ヘッド昇降駆動機構をユニット化したことで組み付けが容易となり、また故障時の部品交換も容易に行なうことができる。
【００１６】
また本出願の請求項４に記載のディスク記録再生装置では、メカデッキシャーシから露出されるヘッド昇降駆動機構のユニットの表面にディスクカートリッジの位置決め用の凸部を設けた構成により、ディスクカートリッジの安定性を保ちながら装置内部のスペースを有効に活用でき、装置の小型・薄型化を図ることができる。
【００１７】
【発明の実施の形態】
以下、本発明の実施の形態を、添付図面を参照して説明する。図１乃至図１７は、本発明の実施の形態の例を示すものである。即ち、図１及び図２は本発明のディスク記録再生装置の一実施例を示す外観斜視図、図３Ａ，Ｂはカートリッジホルダにヘッド昇降機構とイジェクト機構を搭載した状態を示す平面図，側面図、図４Ａ，Ｂ及び図５Ａ，Ｂはカートリッジホルダにヘッド昇降機構のみを搭載した状態を示す平面図，側面図、図６Ａ，Ｂ及び図７Ａ，Ｂはカートリッジホルダにイジェクト機構のみを搭載した状態を示す平面図，側面図、図８は図３ＡのＸ−Ｘ線拡大断面図、図９はメカデッキシャーシ及び外枠を示す斜視図、図１０はメカデッキシャーシの裏面側を示す斜視図、図１１は光学ピックアップ装置の裏面側を示す斜視図、図１２Ａ，Ｂ、図１３Ａ，Ｂ及び図１４はイジェクト機構の動作を説明するそれぞれ説明図、図１５はヘッド昇降駆動機構のユニットを示す斜視図、図１６は図１５のユニットの蓋を外した状態を示す分解斜視図、図１７は図１５のユニットが組み込まれるメカデッキシャーシを示す斜視図である。
【００１８】
図１，図２及び図９に示すように、本発明の一実施例に係るディスク記録再生装置１は、平板状をなすメカデッキシャーシ２と、このメカデッキシャーシ２の周囲を囲う外枠３と、メカデッキシャーシ２に対して俯仰自在に取り付けられたカートリッジホルダ４等によって構成されている。メカデッキシャーシ２は、適度な強度及び剛性を有するエンジニアリングプラスチックによって略四角形に形成されており、その略中央部にはディスク回転機構５が搭載されている。
【００１９】
このメカデッキシャーシ２の前側には電池収納部６が設けられ、また、後側にはヘッド昇降駆動機構７が設けられている。更に、メカデッキシャーシ２の一側、即ち、図９において正面から見て右側には上下方向に貫通する開口部８が設けられている。この開口部８に関連してメカデッキシャーシ２には、光学ピックアップ装置９が移動可能に取り付けられている。更に、メカデッキシャーシ４の開口部８と反対側には、ピックアップ移動用モータ１０が取り付けられている。
【００２０】
図９及び図１０に示すように、ディスク回転機構５は、メカデッキシャーシ２に固定されるディスク駆動用モータ１１と、このディスク駆動用モータ１１の回転軸に固定されたターンテーブル１２とによって構成されている。ターンテーブル１２の上部はメカデッキシャーシ２の上面から上方に突出されている。このターンテーブル１２には、カートリッジホルダ４に装着されたディスクカートリッジに収納されている光学ディスクが着脱自在に装着される。尚、符号１３は、ディスクカートリッジ１８をメカデッキシャーシ２の所定位置に位置決めするための基準となる基準ピンである。
【００２１】
電池収納部６は、メカデッキシャーシ２の下面に開口されており、図示しない電池が電源として収納される。ヘッド昇降駆動機構７は、後述する記録ヘッドを昇降動作させるもので、駆動モータ１４と、この駆動モータ１４によって水平方向へ所定角度の範囲内で回動動作される動作爪１５を有している。この動作爪１５には、駆動モータ１４と反対側に開口された係合凹部１６が設けられている。また、駆動モータ１４は、動作爪１５に動力を伝達するための後述する動力伝達機構が収納されたケース１７に保持されている。このケース１７の上面には、基準ピン１３と共同してディスクカートリッジ１８を位置決めする位置決め凸部１９が設けられている。
【００２２】
図９〜図１１に示すように、光学ピックアップ装置９は、上向きに設けられた対物レンズ２０を有するピックアップ本体２１と、このピックアップ本体２１が搭載されたスライダ２２と、ピックアップ本体２１の上方に対向される記録ヘッド２３と、この記録ヘッド２３が先端部に取り付けられたヘッドアーム２４と、このヘッドアーム２４とスライダ２２とを連結するジョイント部材２５等から構成されている。この光学ピックアップ装置９は、ピックアップ移動機構２７により駆動されてターンテーブル１２に対して接近又は離反するように移動される。
【００２３】
図９及び図１０に示すように、ピックアップ移動機構２７は、スライダ２２の長手方向の一側に設けた軸受け穴を摺動自在に貫通する送りネジ軸２８と、上述したピックアップ移動用モータ１０と、この移動用モータ１０と送りネジ軸２８との間を動力伝達可能に連結する伝達ギア機構２９等から構成されている。送りネジ軸２８は、両端がメカデッキシャーシ２に回動自在に支持されている。また、スライダ２２の長手方向の他側には、メカデッキシャーシ２に設けられたガイド部３０に摺動自在に係合されるガイド受け部３１が設けられている。このピックアップ移動機構２７を駆動することにより、ガイド受け部３１と送りネジ軸２８とにガイドされてスライダ２２が直線的に移動される。
【００２４】
図９に示すように、メカデッキシャーシ２の外側を囲う外枠３は矩形をなす枠体からなり、前面部３ａの略中央部には蓋ロック機構３３が設けられている。蓋ロック機構３３は、前面部３ａに設けられた複数個のガイドピン３８によって横方向へスライド自在に保持された摺動部材３４と、この摺動部材３４を常時一側側に付勢する図示しないバネ部材とから構成されている。この摺動部材３４の上部には、バネ部材の付勢力が作用する側に突出された爪部３５が設けられている。また、外枠３の両側面部３ｂ，３ｃには、カートリッジホルダの上面を覆う図示しない蓋体を支持するための支持レバー３６，３６が俯仰動作自在に取り付けられている。そして、外枠３の後面部３ｄには、ジョイント部材２５との干渉を避けるための切欠き３７が設けられている。
【００２５】
また、メカデッキシャーシ２の後部両側部には、カートリッジホルダ４を俯仰動作自在に支持するための一対の軸受片４０，４０が上方へ突出するように設けられている。これらの軸受片４０，４０に対応してカートリッジホルダ４には、一対の回動軸部４１，４１が設けられている。これらの回動軸部４１，４１を軸受片４０，４０で回動自在に支持することにより、カートリッジホルダ４がメカデッキシャーシ２に対して上下方向へ俯仰自在に構成されている。
【００２６】
図１〜図７に示すように、カートリッジホルダ４は、ディスクカートリッジ１８よりも若干大きくて略矩形状をなす平面部４ａと、この平面部４ａの両側部に連続された側面部４ｂ，４ｃと、各側面部４ｂ，４ｃの下部に連続して内側に突出された底面部４ｄ，４ｅとを有している。このような平面部４ａと側面部４ｂ，４ｃと底面部４ｄ，４ｅとで囲まれた空間部によってディスクカートリッジ１８を保持するためのカートリッジ収納部４３が構成されている。このカートリッジ収納部４３に挿入されたカートリッジホルダ４は、左右の底面部４ｄ，４ｅによって下方から支持される。
【００２７】
ディスクカートリッジ１８は、図１においてその一部を示すが、従来から公知のものであるため、ここでは、その概略を説明する。即ち、ディスクカートリッジ１８は、上下のハーフを重ね合わせることによって形成されるカートリッジ筐体と、このカートリッジ筐体内に回転自在に収納されるディスク状記録媒体とによって構成されている。カートリッジ筐体の上下面には、ディスク状記録媒体の一部を露出させるための開口部が設けられており、その開口部はシャッタ部材によって開閉自在に構成されている。ディスク状記録媒体としては、一般に光磁気ディスクが用いられるが、その他の記録方式の光学ディスクを用いることもできる。
【００２８】
また、カートリッジホルダ４の平面部４ａの一側における後部には、光学ピックアップ装置９の記録ヘッド２３が出し入れされる第１の開口部４４が設けられている。そして、平面部４ａの一側における前部には、後述するロックレバーと第１のスライド部材５０を連結する部分との干渉を避けるための第２の開口部４５が設けられている。第１の開口部４４には、図に現れないジンバルバネによってヘッドアーム２４の先端部に支持された記録ヘッド２３が上方から挿入される。この記録ヘッド２３を下方から支持するように第１のスライド部材５０が、カートリッジホルダ４に前後方向へスライド動作可能に取り付けられている。
【００２９】
図４Ａ，Ｂ及び図５Ａ，Ｂに示すように、第１のスライド部材５０は、第１の開口部４４を横方向へ横断するように設けられた昇降操作部５０ａと、この昇降操作部５０ａの一側から前方へ延在するように設けられた前後方向部５０ｂと、この前後方向部５０ｂの昇降操作部５０ａと反対側に連続されると共にカートリッジホルダ４の側面部４ｂの外側に対向される側面操作部５０ｃとを有している。そして、側面操作部５０ｃの後端部には、上述した動作爪１５の係合凹部１６に係合される係合片５１が設けられている。この係合片５１は、第１のスライド部材５０の水平状態において斜め下方に延在するように設けられており、これによりカートリッジホルダ４が上方へ跳ね上げられたときにも係合片５１が係合凹部１６内に位置して係合状態が維持されるようにしている。
【００３０】
更に、図１２Ａ，Ｂ及び図１３Ａ，Ｂに示すように、側面操作部５０ｃの中途部には、後述する第２のスライド部材６２をカートリッジホルダ４の所定位置、即ち、ディスクカートリッジ１８をターンテーブル１２に装着させるセット位置にてロックさせるためのロック用段部６５が設けられている。このロック用段部６５の前側には、第２のスライド部材６２を緩やかに案内するテーパガイド部６６が設けられている。
【００３１】
また、第１のスライド部材５０の昇降操作部５０ａは、これが前方へ移動したときに記録ヘッド２３を下方から持ち上げて記録ヘッド２３を光学ディスクから離反させるものである。この昇降操作部５０ａが後方へ移動したときには記録ヘッド２３から離れた状態となり、記録ヘッド２３はジンバルバネのみの支持による自由状態となってディスク側に反っている。この昇降操作部５０ａの水平動作を確保するため昇降操作部５０ａの側縁部は、第１の開口部４４の縁部とその一部に設けた挟持片５２との間に摺動自在に挿入されている。
【００３２】
第１のスライド部材５０の前後方向部５０ｂには、前後方向に延在された２つのガイド溝５３，５３が前後方向に所定の間隔をあけて設けられている。これらのガイド溝５３，５３には、カートリッジホルダ４に固定されるガイド軸５５，５５がそれぞれ摺動自在に係合される。更に、前後方向部５０ｂの先端には昇降操作部５０ａ側に突出する連結部５０ｄが設けられている。この連結部５０ｄには、ロックレバー５７を回動動作させるための枢軸５６が固定されている。
【００３３】
ロックレバー５７は、カートリッジホルダ４に固定される支持軸５８によって平面部４ａの上面に回動自在に支持されている。このロックレバー５７の枢軸５６と反対側には、前方に突出するロック爪５９が一体に設けられている。このロック爪５９を前方に突出させて上述した摺動部材３４の爪部３５と係合させることにより、蓋体をロックして開けなくすることができる。このロックレバー５７は、第１のスライド部材５０の前後方向へのスライド動作によって回動される。
【００３４】
上述した第１のスライド部材５０により、光学ディスクに対して情報信号の記録を行うための記録ヘッド２３を昇降動作させるヘッド昇降機構６０が構成されている。また、摺動部材３４とロックレバー５７とで、蓋体を閉じた状態にロックする蓋ロック機構が構成されている。
【００３５】
また、第１のスライド部材５０の前後方向部５０ｂの下には、第２のスライド部材６２が前後方向へ摺動自在に取り付けられている。図６Ａ，Ｂ及び図７Ａ，Ｂに示すように、第２のスライド部材６２は、前方へ延在するように設けられた前後方向部６２ａと、この前後方向部６２ａの後部において一側に連続されることによりカートリッジホルダ４の側面部４ｂに対向されるロック部６２ｂと、このロック部６２ｂの下部に連続して内側に延在される位置決め部６２ｃとを有している。
【００３６】
この第２のスライド部材６２のロック部６２ｂは、組み立てた状態においてカートリッジホルダ４のロック用段部６５に対して係合自在とされる。更に、ロック部６２ｂには、外側の側方に突出するロック解除用突起６４が設けられている。このロック解除用突起６４に対応させてメカデッキシャーシ２には、ロック解除レバー７０が取り付けられている。ロック解除レバー７０は平面形状がコ字状をなすように形成されている。このロック解除レバー７０の一方の側部は固定ネジ等の固着手段によってメカデッキシャーシ２に固定され、これと略平行をなす他方の側部が解除操作部７１としてロック解除用突起６４の上方に対向される。
【００３７】
また、位置決め部６２ｃは、カートリッジホルダ４の内側に延在されてディスクカートリッジ１８の移動軌跡上に突出され、ディスクカートリッジ１８の挿入深さ方向の位置決めをなす。更に、第２のスライド部材６２には、前後方向部６２ａのロック部６２ｂより前側に、弾性部材の一具体例を示すコイルバネ６８の一端を係止するためのバネ受け片６３が設けられている。コイルバネ６８の他端は、カートリッジホルダ４に設けられたバネ受け片７２に係止されている。
【００３８】
更に、第２のスライド部材６２の前後方向部６２ａには、前後方向に延在され且つガイド溝５３よりも幅広としされた２つのガイド溝７３，７３が前後方向に所定の間隔をあけて設けられている。これらのガイド溝７３，７３には、カートリッジホルダ４に固定される上述したガイド軸５５，５５がそれぞれ摺動自在に係合される。これらのガイド軸５５，５５は、互いに重ね合わされる前後方向部５０ｂと前後方向部６２ａが接触することによって生ずる摩擦力等で第１のスライド部材５０と第２のスライド部材６２の動きに支障が生じない構成とされている。
【００３９】
即ち、図８に示すように、各ガイド軸５５は、下側の大径部５５ａと、この大径部５５ａの上側に連続され且つ大径部５５ａよりも直径が小とされた小径部５５ｂと、この小径部５５ｂの上側に設けられたフランジ部５５ｃとを有している。この大径部５５ａには第１のスライド部材５０の前後方向部５０ｂに設けられたガイド溝５３が摺動自在に係合され、小径部５５ｂには第２のスライド部材６２の前後方向部６２ａに設けられたガイド溝７３が摺動自在に係合される。そして、小径部５５ｂの軸方向長さを前後方向部５０ｂの厚みよりも厚くすることにより第１のスライド部材５０と第２のスライド部材６２の間に隙間を設け、上下の前後方向部５０ｂ，６２ａが互いに接触しないようにしている。
【００４０】
第２のスライド部材６２は第１のスライド部材５０の上側に配置されており、そのため、第１のスライド部材５０の側面操作部５０ｃの先端側は、第２のスライド部材６２の位置決め部６２ｃの下方に延在されている。この第２のスライド部材６２のバネ受け片６３とカートリッジホルダ４のバネ受け片７２との間に縮設されたコイルバネ６８のバネ力で常時前方に付勢されるロック部６２ｂは、自由状態において第１のスライド部材５０の側面操作部５０ｃの後部に係合される。そのため、第２のスライド部材６２に作用する力によって第１のスライド部材５０も同時に前方へ付勢されることになる。
【００４１】
これに対して、第１のスライド部材５０を後方へ移動させると、その側面操作部５０ｃが第２のスライド部材６２のロック部６２ｂの前側に係合されるため、両スライド部材５０，６２は一体的に後方へ移動することになる。
【００４２】
このような構成を有するディスク記録再生装置１は、例えば、次のようにして簡単に組み立てることができる。まず、メカデッキシャーシ２にディスク回転機構５、光学ピックアップ装置９及びピックアップ移動機構２７その他の必要な機構、装置を搭載する。また、カートリッジホルダ４には、第１のスライド部材５０、第２のスライド部材６２及びロックレバー５７を取り付ける。尚、ロックレバー５７は、予めカートリッジホルダ４にカシメ加工を施す等して組み立てて置くようにする。
【００４３】
カートリッジホルダ４に対する第１のスライド部材５０と第２のスライド部材６２の組み立ては、例えば、次のようにして行うことができる。まず、カートリッジホルダ４の右肩部に第１のスライド部材５０を重ね合わせる。このとき、第１の開口部４４に掛け渡される昇降操作部５０ａの先端部を、カートリッジホルダ４の平面部４ａの縁部と挟持片５２との間に差し込む。これと同時に又は前後して、前後方向部５０ｂの先端に連続した連結部５０ｄに設けられた枢軸５６を、ロックレバー５７のロック爪５９の反対側に形成されたカム溝５７ａに係合させる。
【００４４】
次に、第１のスライド部材５０の前後方向部５０ｂの上に第２のスライド部材６２の前後方向部６２ａを重ね合わせる。これにより、カートリッジホルダ４の一方の側面部４ｂには、第１のスライド部材５０の側面操作部５０ｃが対向され、同時に第２のスライド部材６２のロック部６２ｂも対向される。そして、側面操作部５０ｃの後方にロック部６２ｂが対向される。この状態で、ガイド軸５５を第２のスライド部材６２の前後方向部６２ａに設けたガイド溝７３と第１のスライド部材５０の前後方向部５０ｂに設けたガイド溝５３とカートリッジホルダ４の穴に貫通させ、内側をカシメ加工して固着する。これにより、第１及び第２のスライド部材５０，６２のカートリッジホルダ４に対する組み付け作業が完了する。
【００４５】
次に、両スライド部材５０，６２が取り付けられたカートリッジホルダ４を、メカデッキシャーシ２に取り付ける。この取付作業は、カートリッジホルダ４の後部両端に設けられた一対の回動軸部４１，４１をメカデッキシャーシ２の後部両端に設けられた一対の軸受片４１，４１に係合することによって行うことができる。このとき、カートリッジホルダ４の第１のスライド部材５０側を、光学ピックアップ装置９のヘッドアーム２４の下にくぐらせ、その先端に支持された記録ヘッド２３を第１の開口部４４に臨ませる。また、メカデッキシャーシ２に固定されたロック解除レバー７０の解除操作部７１がロック部６２ｂの外側に対向される。これにより、メカデッキシャーシ２にカートリッジホルダ４が組み立てられ、ディスク記録再生装置１の組立作業が完了する。
【００４６】
このディスク記録再生装置１に外枠３を取り付け、図示しない外装ケースに収納し、外枠３に蓋体を取り付けることにより、ディスク記録再生装置１がケースで覆われて市販のＭＤディスク記録再生装置等として提供される。
【００４７】
次に、ディスク記録再生装置１に対するディスクカートリッジ１８の出し入れ操作等について説明する。図１は、メカデッキシャーシ２に対してカートリッジホルダ４が上方へ跳ね上げられた状態を示しており、この状態でディスクカートリッジ１８が挿入される。図示するように、ディスクカートリッジ１８をカートリッジホルダ４のカートリッジ挿入口からカートリッジ収納部４３内に差し込むと、カートリッジホルダ４の内部に設けられたシャッタ開閉機構（図示せず）によってシャッタ部材が開き始める。
【００４８】
これと同時に、ディスクカートリッジ１８の挿入側の先端面が第２のスライド部材６２に設けた位置決め部６２ｃに当接される。この場合、第２のスライド部材６２はコイルバネ６８によって常時前方へ付勢されているが、この付勢力に抗してディスクカートリッジ１８を更に差し込むことにより、第２のスライド部材６２を後方へ移動させることができる。このとき、第１のスライド部材５０は静止した状態に維持されるため、記録ヘッド２３は昇降操作部５０ａで下方から持ち上げられたままの状態にある。
【００４９】
更に、ディスクカートリッジ１８を深く差し込むと、位置決め部６２ｃがカートリッジホルダ４の側面部４ｂに設けたテーパガイド部６６にガイドされて若干下方に押し下げされ、そのテーパガイド部６６の最下端をロック部６２ｂが越える。その結果、図１２Ａの状態から図１２Ｂの状態に変化し、ロック部６２ｂがロック用段部６５に係合され、カートリッジホルダ４がロックされた状態となる。これにより、ディスクカートリッジ１８がカートリッジホルダ４の所定位置に保持される。
【００５０】
この状態から、カートリッジホルダ４をメカデッキシャーシ２側に押圧することにより、カートリッジホルダ４に保持されたディスクカートリッジ１８の内部に収納されている光学ディスクが、メカデッキシャーシ２の略中央部に配置されているテーブル回転機構５のターンテーブル１２に装着され、チャッキングが完了する。その結果、光学ピックアップ装置９による光学ディスクに対する情報信号の再生動作が可能となる。
【００５１】
また、光学ディスクのチャッキング状態から、情報信号の記録動作を選択すると、ヘッド昇降機構６０が作動して、第１のスライド部材５０が後方へ移動される。このとき、第１のスライド部材５０が後方へ移動すると、これと一体の昇降操作部５０ａが後方へ移動することにより、昇降操作部５０ａによる記録ヘッド２３の支持が解除されて自由状態となる。その結果、記録ヘッド２３を支持するヘッドアーム２４及びジンバルバネ自体が持つ弾性により、記録ヘッド２３が光学ディスクに近づけられる。
【００５２】
このとき、第１のスライド部材５０の後方への移動に連動してロックレバー５７が回動され、そのロック爪５９が前方に飛び出す。その結果、ロック爪５９が外枠３に取り付けられている摺動部材３４の爪部３５に係合され、第１のスライド部材５０がロックされた状態となる。これにより、蓋が開けられる状態を阻止することができる。これにより、光学ディスクに対する情報信号の記録が可能となる。
【００５３】
次に、ディスクカートリッジ１８を取り出す動作について説明する。光学ディスクに対する情報信号の記録又は再生が完了する等によって蓋を開くときには、まず、蓋をロックしている蓋ロック機構を解除する。これにより、爪部３５によるロック爪５７のロックが解除され、第１のスライド部材５０が前後方向へ移動可能な状態となる。そこで、蓋を開けると、図１３Ａに示す状態から図１３Ｂに示す状態に変化し、第２のスライド部材６２のロック部６２ｂに設けられたロック解除用突起６４がロック解除レバー７０の解除操作部７１に下方から当接される。これにより、ロック部６２ｂが下方に押し下げられることにより、そのロック部６２ｂがロック用段部６５から外れ、第２のスライド部材６２のロックが解除される。
【００５４】
その結果、第２のスライド部材６２がコイルバネ６８のバネ力によって前方に引っ張られる。これにより、第２のスライド部材６２のロック部６２ｂによって第１のスライド部材５０の側面操作部５０ｃが前方に押圧されるため、第１のスライド部材５０が前方に移動する。その結果、図１３Ｂに示す状態から図１２Ａに示す状態に変化し、第２のスライド部材６２によってディスクカートリッジ１８が前方に押し出され、ディスクカートリッジ１８がイジェクトされる。これにより、蓋が開かれた状態となり、カートリッジホルダ４からディスクカートリッジ１８を取り出すことが可能となる。
【００５５】
このような本発明のディスク記録再生装置１によれば、ヘッド昇降機構６０とイジェクト機構の２つの機構を同一箇所に重ねて配置する構成としたため、従来の装置ではデッドスペースでしかなかった場所に２つの機構を集中的に配置して、部品の共用化を図ることができると共に、装置の小型化が可能となり、その他のエリアに基板、キャビネット等を自由にレイアウトすることが可能となった。
【００５６】
次に、本実施例のディスク記録再生装置１において、ヘッド昇降機構６０を動作させて記録ヘッド２３を昇降動作させるためのヘッド昇降駆動機構７の詳細について説明する。
【００５７】
このヘッド昇降駆動機構７は、図９及び図１０に示す如くメカデッキシャーシ２側に設けられるもので、ヘッド昇降機構６０の駆動源である駆動モータ１４と、この駆動モータ１４の駆動によって回動動作される動作爪１５とを有して構成されている。動作爪１５は軸１５ａを支点として所定の角度範囲で回動動作されるようになっており、その動作方向はヘッド昇降機構６０の第１のスライド部材５０のスライド方向と対応している。
【００５８】
この動作爪１５には係合凹部１６が形成されており、この係合凹部１６に第１のスライド部材５０の側面操作部５０ｃの後端部に設けられた係合片５１が係合される（図１４参照）。
この構成によってヘッド昇降機構６０とヘッド昇降駆動機構７とが動作的に連結され、即ちヘッド昇降駆動機構７の駆動モータ１４が駆動して動作爪１５が軸１５ａを支点として回動されると、これに連動してヘッド昇降機構６０の第１のスライド部材５０が前後方向にスライド動作し、これによって上述した如く記録ヘッド２３が光学ディスクの情報記録面に対して接近又は離反するように昇降動作される。
【００５９】
このヘッド昇降駆動機構７は図１５に示す如く一つの組部品としてユニット化されている。
このヘッド昇降駆動機構７のユニット８０ではケース１７の一端側に駆動源である駆動モータ１４が固定され、他端側の開口部８１から動作爪１５が露出されている。ケース１７の中央部の蓋板８２によって覆われている部分には図１６に示す如く動力伝達機構として複数段のギア８３，８４，８５，８６，８７が内蔵されており、駆動モータ１４の回転駆動力がこれらのギア８３，８４，８５，８６，８７を介して減速して動作爪１５に伝達されることによって動作爪１５はトルクが増大して回動動作され、ヘッド昇降機構６０に充分な駆動力を付与する。
このユニット８０においてケース１７の中央部を覆う蓋板８２は片側２片ずつ両側で４片の脚部８８を有し、この４片の脚部８８に形成された係合孔８９をケース１７の側面に設けられた突起９０に係合させることによって蓋板８２をケース１７に固定する。
【００６０】
このヘッド昇降駆動機構７のユニット８０はメカデッキシャーシ２と同じ厚みに形成されており、これをメカデッキシャーシ２内に収めるように組み込むものである。メカデッキシャーシ２には図１７に示す如くユニット８０の外形に対応した穴９１が形成されており、この穴９１にユニット８０を隙間なく嵌め込んでメカデッキシャーシ２と一体化させる。
【００６１】
ここで特に本実施例のディスク記録再生装置１では、このヘッド昇降駆動機構７のユニット８０の組み込み部は光学ピックアップ装置９の後方で光学ピックアップ装置９と記録ヘッド２３とを連結するジョイント部材２５と対応するスペースに設けられている。
この部分は従来メカデッキシャーシの強度や寸法の関係でデッドスペースとなっていた部分であり、本実施例の装置はこのスペースにヘッド昇降駆動機構７を配置してスペースの有効活用を図ったものである。この場合、ユニット化されたヘッド昇降駆動機構７を組み込むことによりメカデッキシャーシ２の強度は充分に確保される。
【００６２】
ユニット８０はメカデッキシャーシ２の裏側から組み込まれる構造となっており、組み込まれたユニット８０は例えば固定ネジ９２によってメカデッキシャーシ２に固定される。即ち本実施例ではメカデッキシャーシ２にユニット８０を組み込んだ状態で固定ネジ９２をユニットの通孔９３（ケース１７及び蓋板８２の通孔９３ａ及び９３ｂ）に通してメカデッキシャーシ２に螺着することによりユニット８０を固定するようにしている。こうしてメカデッキシャーシ２に組み込まれたヘッド昇降駆動機構７のユニット８０はメカデッキシャーシ２と一体化し、構造上メカデッキシャーシ２の一部と看做される。
【００６３】
尚、この装置においてメカデッキシャーシ２の材質としてはＰＰＥ（ポリフェニレンエーテル）が用いられ、これに組み込まれるヘッド昇降駆動機構７のユニット８０を構成するケース１７及び蓋板８２もまた同じ材質であるＰＰＥを用いて形成されている。
【００６４】
このように本実施例のディスク記録再生装置１では、記録ヘッド２３を昇降動作させるヘッド昇降駆動機構７をメカデッキシャーシ２側に設け、このメカデッキシャーシ２内に組み込んだ構成としたことにより、装置内部のスペースを有効に活用でき、その結果として装置の一層の小型・薄型化が可能となる。
【００６５】
特にこのディスク記録再生装置１では、光学ピックアップ装置９と記録ヘッド２３とを連結するジョイント部材２５と対応するメカデッキシャーシ２のデッドスペースにヘッド昇降駆動機構７を組み込んだ構成としたことにより、装置内部のスペースをさらに有効に活用でき、装置の小型・薄型化に一段と有利となるものである。
【００６６】
上記の如くメカデッキシャーシ２に組み込まれたヘッド昇降駆動機構７のユニット８０は、図９に示すようにメカデッキシャーシ２のディスク受け面と同一平面に表面が露出する。このメカデッキシャーシ２のディスク受け面に露出されるユニット８０の表面には、光学ディスクが収納されるディスクカートリッジ１８の位置決めを行なうための位置決め凸部１９が形成されている。
この位置決め凸部１９は基準ピン１３と共同でディスクカートリッジ１８の位置決めを行うものであり、即ちこの位置決め凸部１９と基準ピン１３にディスクカートリッジ１８の基準孔が係合されることによりディスクカートリッジ１８の正確な位置決めが行なわれ、装置内でディスクカートリッジ１８が安定して保持される。
【００６７】
この位置決め凸部１９は基準ピン１３と共に従来からメカデッキシャーシ上に設けられるもので、本実施例の装置ではこの位置決め凸部１９が設けられる部分にディスク昇降駆動機構７のユニット８０が組み込まれたことにより、このユニット８０に位置決め凸部１９を設けた構成としたものである。
このような構成としたことにより本実施例のディスク記録再生装置１では、ディスクカートリッジの安定性を保ちながら装置内部のスペースを有効に活用でき、装置の小型・薄型化を図ることができる。
【００６８】
さらにこのディスク記録再生装置１では、メカデッキシャーシ２に組み込まれるヘッド昇降駆動機構７が一つのユニット８０として構成されていることにより、装置の組み立て時にはこのユニット８０ごとヘッド昇降駆動機構７を簡単にメカデッキシャーシ２に組み込むことができ、またヘッド昇降駆動機構７が故障して修理が必要なとき等にもユニット８０ごとヘッド昇降駆動機構７を交換すればよいので、作業が楽に行えるという利点がある。
【００６９】
尚、以上の実施例ではヘッド昇降駆動機構７のユニット８０を固定ネジ９２によってメカデッキシャーシ２に固定する構成としてあるが、このユニット８０の固定手段としてはネジに限ることなく、他にも例えばヘッド昇降駆動機構のユニットを嵌め付けや超音波溶着によってメカデッキシャーシに固定する構造としてもよい。
その他各部の構成においても、実施例が本発明を特定するものではなく、本発明の趣旨を逸脱しない範囲で種々の実施形態を採り得るものであることは言うまでもない。
【００７０】
【発明の効果】
以上の説明から明らかな如く、本発明の請求項１に記載のディスク記録再生装置では、ヘッド昇降機構の駆動源であるモータを有するヘッド昇降駆動機構をメカデッキシャーシ内に設けた構成としたことにより、装置内部のスペースを有効に活用でき、装置の一層の小型・薄型化が可能となる効果がある。
【００７１】
また本発明の請求項２に記載のディスク記録再生装置では、光学ピックアップと記録ヘッドを連結するジョイント部材と対応するメカデッキシャーシのデッドスペースにヘッド昇降駆動機構を組み込んだ構成としたことにより、装置内部のスペースをさらに有効に活用でき、装置の小型・薄型化に一段と有利となる効果がある。
【００７２】
さらに本発明の請求項３に記載のディスク記録再生装置では、ヘッド昇降駆動機構をユニット化したことで組み付けが容易となり、また故障時の部品交換も容易に行うことができる効果がある。
【００７３】
さらに本発明の請求項４に記載のディスク記録再生装置では、メカデッキシャーシから露出されるヘッド昇降駆動機構のユニットの表面にディスクカートリッジの位置決め用の凸部を設けた構成により、ディスクカートリッジの安定性を保ちながら装置内部のスペースを有効に活用でき、装置の小型・薄型化を図ることができる効果がある。
【図面の簡単な説明】
【図１】本発明のディスク記録再生装置の一実施例を示すもので、カートリッジホルダを跳ね上げてメカデッキシャーシから離反させた状態を示す斜視図である。
【図２】本発明のディスク記録再生装置の一実施例を示すもので、カートリッジホルダを閉じてメカデッキシャーシに重ねた状態を示す斜視図である。
【図３】本発明のディスク記録再生装置に係るカートリッジホルダにヘッド昇降機構とイジェクト機構を搭載した状態を示すもので、図３Ａは平面図、図３Ｂは側面図である。
【図４】本発明のディスク記録再生装置に係るカートリッジホルダにヘッド昇降機構のみを搭載し、その第１のスライド部材が前側に移動した状態を示すもので、図４Ａは平面図、図４Ｂは側面図である。
【図５】本発明のディスク記録再生装置に係るカートリッジホルダにヘッド昇降機構のみを搭載し、その第１のスライド部材が後側に移動した状態を示すもので、図５Ａは平面図、図５Ｂは側面図である。
【図６】本発明のディスク記録再生装置に係るカートリッジホルダにイジェクト機構のみを搭載し、その第２のスライド部材が前側に移動した状態を示すもので、図６Ａは平面図、図６Ｂは側面図である。
【図７】本発明のディスク記録再生装置に係るカートリッジホルダにイジェクト機構のみを搭載し、その第２のスライド部材が後側に移動した状態を示すもので、図７Ａは平面図、図７Ｂは側面図である。
【図８】図３のＸ−Ｘ線部分を拡大して示す断面図である。
【図９】本発明のディスク記録再生装置に係るメカデッキシャーシ及び外枠を示す斜視図である。
【図１０】本発明のディスク記録再生装置に係るメカデッキシャーシの裏面側を示す斜視図である。
【図１１】本発明のディスク記録再生装置に係る光学ピックアップ装置の裏面側を示す斜視図である。
【図１２】本発明のディスク記録再生装置に係るイジェクト機構の動作を説明するもので、図１２Ａは蓋が開かれてイジェクト機構のロック前の状態、図１２Ｂは蓋が開かれてイジェクト機構のロック後の状態をそれぞれ示す説明図である。
【図１３】本発明のディスク記録再生装置に係るイジェクト機構の動作を説明するもので、図１３Ａは蓋が閉じられてイジェクト機構のロック後の状態、図１３Ｂは蓋が開かれてイジェクト機構のロック時の状態をそれぞれ示す説明図である。
【図１４】本発明のディスク記録再生装置に係る動作爪と係合片との係合関係を示す説明図である。
【図１５】本発明のディスク記録再生装置に係るヘッド昇降駆動機構のユニットを示す斜視図である。
【図１６】図１５のユニットの蓋を外した状態を示す分解斜視図である。
【図１７】図１５のユニットが組み込まれるメカデッキシャーシを示す斜視図である。
【符号の説明】
２・・・・メカデッキシャーシ
５・・・・ディスク回転機構
７・・・・ヘッド昇降駆動機構
９・・・・光学ピックアップ装置
１４・・・・駆動モータ
１５・・・・動作爪
１７・・・・ケース
１９・・・・位置決め凸部
２３・・・・記録ヘッド
６０・・・・ヘッド昇降機構
８０・・・・ユニット
８３〜８７・・・・ギア
【図１】
2004164699.tif 000003
【図２】
2004164699.tif 000004
【図３】
2004164699.tif 000005
【図４】
2004164699.tif 000006
【図５】
2004164699.tif 000007
【図６】
2004164699.tif 000008
【図７】
2004164699.tif 000009
【図８】
2004164699.tif 000010
【図９】
2004164699.tif 000011
【図１０】
2004164699.tif 000012
【図１１】
2004164699.tif 000013
【図１２】
2004164699.tif 000014
【図１３】
2004164699.tif 000015
【図１４】
2004164699.tif 000016
【図１５】
2004164699.tif 000017
【図１６】
2004164699.tif 000018
【図１７】
2004164699.tif 000019